(57)【要約】【課題】いかなるサービス中断についてもその中断期間を低減させることができる移動デジタルＴＶを提供する。【解決手段】移動デジタルＴＶ（ＤＴＶ）は、ＤＴＶ受信機と、プロセッサと、グローバルポジショニングシステム（ＧＰＳ）受信機と、特定のチャネルについての送信機周波数及び送信機位置のデータベースを記憶するためのメモリとを備えている。ＧＰＳ受信機は、移動ＤＴＶの位置をプロセッサに提供する。プロセッサは、移動ＤＴＶの位置と現在選択しているチャネルに関する少なくとも２つの送信機の位置との間の距離をモニタする。移動ＤＴＶが特定の送信機に他の送信機より近くにいると検出すると、プロセッサは、移動ＤＴＶを、現在選択しているチャネルに関する最も近い送信機の送信機周波数に再同調する。【選択図】図３
2008544642.tif 000002
【特許請求の範囲】
【請求項１】
デバイス内で使用し、受信情報に同調可能な装置であって、
前記デバイスの位置を判断するのに使用される情報を提供する受信機と、
前記デバイスの位置と送信機に関連する位置との間の距離の関数として、前記デバイスの再同調を開始するプロセッサと
を備えたことを特徴とする装置。
【請求項２】
情報を提供する前記受信機が、グローバルポジショニングシステム（ＧＰＳ）受信機であることを特徴とする請求項１に記載の装置。
【請求項３】
選択されたチャネルの少なくとも１つの番組を受信するための複数の周波数の１つに同調するデジタルテレビジョン（ＤＴＶ）受信機をさらに備えており、
選択されたチャネルのための、複数の周波数の１つに前記デジタルテレビジョン受信機を同調することによって前記プロセッサは前記デバイスを再同調することを特徴とする請求項１に記載の装置。
【請求項４】
複数の送信機についての送信機情報を記憶するメモリをさらに備えており、
該メモリは、各送信機について、関連する位置と、前記プロセッサが前記デバイスを再同調する際に使用する関連する送信周波数とを少なくとも記憶していることを特徴とする請求項１に記載の装置。
【請求項５】
前記距離が、実際の距離であることを特徴とする請求項１に記載の装置。
【請求項６】
前記距離が、実効的な距離であることを特徴とする請求項１に記載の装置。
【請求項７】
送信機に関連する前記位置がサービスエリアであることを特徴とする請求項１に記載の装置。
【請求項８】
送信機に関連する前記位置が切り替え地点であることを特徴とする請求項１に記載の装置。
【請求項９】
前記プロセッサが、前記距離を周期的に判断することを特徴とする請求項１に記載の装置。
【請求項１０】
前記プロセッサが、前記デジタルテレビジョン受信機のための同調情報を決定し、その後、受信した信号が減衰することを待つことによって前記デバイスを再同調することを特徴とする請求項１に記載の装置。
【請求項１１】
デバイス内で使用する方法であって、
前記デバイスの位置情報を受信するステップと、
前記デバイスの位置と送信機に関連する位置との間の距離の関数として、前記デバイスの再同調を開始するステップとを備えたことを特徴とする方法。
【請求項１２】
前記受信するステップが、グローバルポジショニングシステム（ＧＰＳ）から情報を受信することを特徴とする請求項１１に記載の方法。
【請求項１３】
デジタルテレビジョン（ＤＴＶ）受信機を、選択されたチャネルの少なくとも１つの番組を受信するための複数の周波数の１つに同調するステップをさらに備えており、
前記開始するステップが、選択されたチャネルのための、複数の周波数の１つに前記デジタルテレビジョン受信機を同調することによって前記デバイスを再同調することを特徴とする請求項１１に記載の方法。
【請求項１４】
複数の送信機についての送信機情報を記憶するステップをさらに備えており、
各送信機について、関連する位置と、前記プロセッサが前記デバイスを再同調する際に使用する関連する送信周波数とを少なくとも記憶することを特徴とする請求項１１に記載の方法。
【請求項１５】
前記距離が、実際の距離であることを特徴とする請求項１１に記載の方法。
【請求項１６】
前記距離が、実効的な距離であることを特徴とする請求項１１に記載の方法。
【請求項１７】
送信機に関連する前記位置がサービスエリアであることを特徴とする請求項１１に記載の方法。
【請求項１８】
送信機に関連する前記位置が切り替え地点であることを特徴とする請求項１１に記載の方法。
【請求項１９】
前記開始するステップが、前記距離を周期的に判断することを特徴とする請求項１１に記載の方法。
【請求項２０】
前記開始するステップが、前記デジタルテレビジョン受信機のための同調情報を決定し、前記デバイスを再同調する前に、受信した信号が減衰することを待つことを特徴とする請求項１１に記載の方法。
【請求項２１】
デバイス内で使用する方法であって、
前記デバイスの位置情報を受信するステップと、
選択されたチャネルの番組を受信するステップと、
送信機の位置と、前記選択されたチャネルに関連する送信機の周波数とを少なくとも含む送信機情報を記憶するステップと、
メモリに記憶されている前記デバイスと送信機の位置との間の距離を監視することにより、前記番組を受信するために前記デバイスを再同調するステップとを備えたことを特徴とする方法。
【請求項２２】
前記位置情報を受信するステップが、グローバルポジショニングシステム（ＧＰＳ）から情報を受信することを特徴とする請求項２１に記載の方法。
【請求項２３】
前記距離が、実際の距離であることを特徴とする請求項２１に記載の方法。
【請求項２４】
前記距離が、実効的な距離であることを特徴とする請求項２１に記載の方法。
【請求項２５】
送信機に関連する前記位置がサービスエリアであることを特徴とする請求項２１に記載の方法。
【請求項２６】
送信機に関連する前記位置が切り替え地点であることを特徴とする請求項２１に記載の方法。
【請求項２７】
前記再同調するステップが、前記距離を周期的に判断することを特徴とする請求項２１に記載の方法。
【請求項２８】
前記再同調するステップが、前記デバイスに距離が最も近い送信機の位置を選択するステップと、前記選択されたチャネルのための関連する送信機周波数に前記デバイスを再同調するステップとを備えていることを特徴とする請求項２１に記載の方法。
【請求項２９】
前記再同調するステップが、前記デジタルテレビジョン受信機のための同調情報を決定し、前記デバイスを再同調する前に、受信した信号が減衰することを待つことを備えていることを特徴とする請求項２１に記載の方法。
【発明の詳細な説明】
【技術分野】
【０００１】
本発明は、一般には、通信システムに関し、より特定的には移動又は携帯デバイスに関する。
【背景技術】
【０００２】
移動テレビジョン（ＴＶ）は、高速で移動する車や列車内で使用可能である。英国等の幾つかの国においては、与えられたチャネルが、各々が互いに異なる放送エリアをカバーする異なる送信機塔から異なる無線周波数（ＲＦｓ）で送信される。これにより、ユーザがある放送エリアから次の放送エリアへ移動した際にも、信号が減衰していると感知したときに直ちに移動ＴＶを手動で再同調することにより、与えられたチャネル（例えばチャネル３）で、同じショー又は番組を引き続き見ることができる。２００４年１０月７日に公開された特許文献１には、信号減衰を検出した際に移動デバイスを自動的に同調する「フォローミー（ｆｏｌｌｏｗ−ｍｅ）」放送受信方法及びシステムが開示されている。特に、この移動デバイスは、自己の位置を提供するグローバルポジショニングシステム（ＧＰＳ）受信機を備えている。信号減衰を検出するとこの移動デバイスは、移動デバイスの位置を「フォローミー放送サーバ」へ送信し、このサーバは、移動デバイスの位置に基づいた新たな同調情報を移動デバイスへ返信する。これにより、移動デバイスは、新たな同調情報に従ってその受信機を再同調する。
【０００３】
【特許文献１】米国特許公開公報第２００４／０１９８２１７号
【発明の開示】
【発明が解決しようとする課題】
【０００４】
上述した、移動又は携帯デバイスを手動で再同調する又は自動で再同調する技術は、問題点を完全には解決しない。まず、各々の場合において、移動デバイスを再同調する前に信号が減衰しなければならない。このように、ユーザは、まず、干渉を体験し、次いで長期間にわたって、サービスの実際の中断を味わうのである。例えば、手動の再同調においては、その期間は、減衰を検知してから新たな送信周波数へ切り替えるまで１０秒のオーダであるかもしれない。これは、番組を単に楽しもうとしているユーザを不快にしイライラさせる。
【課題を解決するための手段】
【０００５】
本発明によれば、移動デバイスは、そのデバイスの位置を提供するＧＰＳ受信機と、デバイスの位置及び送信機に関わる位置間の距離の関数として、デバイスの再同調を開始するためのプロセッサとを備えている。これにより、ユーザがどのような信号減衰を感知するよりも前にデバイスは再同調できることとなり、いかなるサービス中断についてもその中断期間を低減することができる。
【０００６】
本発明の実施態様においては、移動デバイスは、デジタルＴＶ（ＤＴＶ）受信機と、プロセッサと、ＧＰＳ受信機と、特定のチャネルについての送信機周波数及び送信機位置のデータベースを記憶するためのメモリとを備えた移動ＤＴＶである。ＧＰＳ受信機は、移動ＤＴＶの位置をプロセッサに提供する。プロセッサは、移動ＤＴＶの位置と現在選択しているチャネルに関する少なくとも２つの送信機の位置との間の距離をモニタする。移動ＤＴＶが特定の送信機に他の送信機より近くにいると検出すると、プロセッサは、移動ＤＴＶを現在選択しているチャネルに関する最も近い送信機の送信機周波数に再同調する。
【発明を実施するための最良の形態】
【０００７】
本発明に関連する部分を除いて、これら図面に示されている要素は良く知られており、従って詳しい説明は行わない。また、デジタルテレビジョン式システムについても良く知られているため、ここでは詳しい説明を行わない。例えば、本発明に関連する部分を除いて、デジタルＴＶ関連の変調信号、シンボル群、キャリア再生、補間、フェーズロックループ（ＰＬＬｓ）、無線周波数（ｒｆ）の前段、又は受信部、例えば、低ノイズブロックダウンコンバータ、（Ｍｏｖｉｎｇ  Ｐｉｃｔｕｒｅ  Ｅｘｅｒｔ  Ｇｒｏｕｐ（ＭＰＥＧ）−２システム基準（ＩＳＯ／ＩＥＣ１３８１８−１）のような）伝送ビットストリームを生成するためのフォーマット及びエンコード方法、対数尤度比のごときデコード方法、ソフト入力ソフト出力（ＳＩＳＯ）デコーダ、ビタビデコーダ、蓄積プログラム制御式プロセッサ、グローバルポジショニングシステム、及びユーザインタフェースを提供するボタンは周知であり、ここでは詳しく説明しない。さらに、本発明は一般的なプログラム技術を用いて実現できるので、その実施方法についてはここでは詳しく説明しない。また、図面上で同様の番号は、同様の要素を表している。
【０００８】
本発明に基づく実施形態における移動デバイスである移動デジタルＴＶ（ＤＴＶ）１００が、図１に示されている。なお、本発明が移動ＤＴＶに基づいて記載されているが、本発明の思想はこれに限定されるものではない。移動ＤＴＶ１００は、アンテナ１０１及び１０２と、ＤＴＶ受信機１０５と、ＤＴＶプロセッサ１１０と、ディスプレイ１１５と、ユーザインタフェース（ＵＩ）１２０と、ＧＰＳ受信機１５０と、ＤＴＶ送信機選択素子１５５と、ＤＴＶ送信機データベース１６０とを備えている。実施形態として、移動ＤＴＶ１００は、ヨーロッパにおけるデジタルビデオ放送（ＤＶＢ−Ｔ及び/又はＤＶＢ−Ｈ）基準（例えば、ＤＶＢ文献Ｎｏ．Ａ０８１、２００４年６月、ＥＴＳＩ  ＥＮ  ３００  ７４４及び他の関連する文献を参照のこと）に適合する。即ち、ＤＴＶ受信機１０５はアンテナ１０１を介してＤＴＶ信号を受信する。ＤＴＶ受信機１０５は、受信した信号を処理することによりダウンコンバート（低い周波数に変換）された信号１０６をＤＴＶプロセッサ１１０に提供する。ＤＴＶプロセッサ１１０は、ダウンコンバートされた信号を処理することにより、ユーザが見るディスプレイ１１５に印加されるデジタルビデオ信号１１１のごとき、デジタルサービスをこの信号から再生する。移動ＤＴＶ１００は、信号パス１２１を介しＵＩ１２０によって制御される。ＵＩ１２０は、ボタン配列を備えており、移動ＤＴＶ１００の物理的部分又はリモートコントロールであり得る。これにより、ＵＩ１２０は、例えば、デバイスをオン及びオフする、チャネルを選択する、ボリュームを調整する、ディスプレイ１１５上に表示される電子番組ガイド（ＥＰＧ）及び／又はメニュー（ＤＴＶパラメータ（例えばビデオ、オーディオ等）をセットするためのような）によって代表されるグラフィカル表示のユーザインタフェース（ＧＵＩ）を行き来する能力をユーザに提供すると共に双方向アプリケーションデータ等を提供する。双方向アプリケーションデータに関連して、ＤＴＶプロセッサ１１０は、ＤＴＶ受信機１０５を介してダウンロードされた双方向アプリケーション番組を記憶するためのメモリ（図示なし）を備えている。ＤＴＶプロセッサ１１０が実行することにより、双方向アプリケーション番組は、双方向のアプリケーションをユーザに提供する。公知の双方向のアプリケーションは、例えば、天気予報、ニュース、交通情報、及びゲーム（例えばテトリス）である。双方向のアプリケーションは、特別のチャネル（例えば、ゲームチャネル）又は現在見ている番組に基づいている。例えば、スポーツ番組においては、ＵＩ１２０を介してユーザが選択した場合に例えば追加のチーム情報を提供するカラー機能キーが画面上にディスプレイされるかもしれない。ＤＴＶプロセッサ１１０は、処理機能を代表しており、記憶されたプログラムによって制御される１つ又はそれ以上のプロセッサ（例えばマイクロプロセッサ）によって実現されるであろう。
【０００９】
移動ＤＴＶ１００の他の部分について述べると、ＧＰＳ受信機１５０は、アンテナ１０２からのＧＰＳ信号を受信し、移動ＤＴＶ１００の位置情報をＤＴＶ送信機選択素子１５０へ供給する。このＤＴＶ送信機選択素子１５０は、ＤＴＶプロセッサ１１０で示されるごとき、記憶されたプログラムによって制御される１つ又はそれ以上のプロセッサ（例えばマイクロプロセッサ）の一部であるかもしれない。ここで述べているように、移動ＤＴＶ１００及び送信機の位置情報は、その位置情報が移動ＤＴＶ１００と送信機（複数）との距離を決めるために使用できるものであれば、いかなる形態でもあり得る。ここで述べる位置情報は、具体的には、緯度、経度及び高度を表すものとみなすことができる。さらに、送信機位置は送信機塔に基づいて決まるものとみなされるが、本発明はこれに限定されるものではなく、送信機は他の位置に基づくものであっても良い。本発明によれば、ＤＴＶ送信機選択素子１５５は、ユーザが見ている現在選択されているチャネルに関するＤＴＶ送信機（以下に述べる）を選択するために、移動ＤＴＶ１００の位置をＤＴＶ送信機データベース１６０に記憶されているデータと比較する。選択された送信機は、例えばそれによって代表される周波数情報は、再同調のためにＤＴＶプロセッサ１１０へ、必要であれば、信号１１２としてＤＴＶ受信機１０５へ供給される。
【００１０】
上述したように、ＤＴＶ送信機データベース１６０は、ＤＴＶ送信機を選択するデータを供給し、例えば揮発性又は不揮発性であり得るデータ記憶用のメモリである、記憶素子によって代表される。ここで使用する「データベース」なる用語は、任意の情報収集を意味している。従って、送信機情報を記憶するＤＴＶ送信機データベース１６０として、例えばフラットファイル、リンクされたリスト等いかなる形態のデータ構造をも使用可能である。ＤＴＶ送信機データベース１６０の一例が図２に示されている。ＤＴＶ送信機データベース１６０は、テーブル１６２、１６６−１及び１６６−２として示すように複数のテーブルを備えている。テーブル１６２は、複数の送信機塔のための送信機情報を記憶している。各送信機塔について、送信機識別（ＩＤ）及び送信機塔に関連する位置の情報が存在する。例えば、テーブル１６２の行１６３に示すように、送信機塔ＴＡは位置ＴＬＡを有している。さらに、各送信機塔について、チャネルと周波数割当てとの関係テーブルが存在する。これが、送信機塔ＴＡ及びＴＢそれぞれについての関係テーブル１６６−１及び１６６−２として、図２に示されている。テーブル１６６−１の行１６７−１で示されているように、チャネル３は、塔ＴＡに対して周波数ｆ３，Ａで送信される。同様に、テーブル１６６−２の行１６７−２で示されているように、チャネル３は、塔ＴＢに対して周波数ｆ３，Ｂで送信される。ＤＴＶ送信機データベース１６０に記憶されている情報は、いかなる方法によっても生成可能である。例えば、ＤＴＶ送信機データベース１６０は移動ＤＴＶ１００に前もってプログラム化することが可能であり、情報は前述したＤＶＢ−Ｔ標準におけるサービス情報テーブルの一部としてダウンロード可能である。
【００１１】
図３には、本発明の移動ＤＴＶ１００で用いる例示的なフローチャートが示されている。この例においては、ユーザが例えば前述したＵＩ１２０を介して視聴するための選択されたチャネル３を有していると仮定する。図４に示すように、移動ＤＴＶ１００はユーザが運転し矢印１の方向に移動する車両１０内にあると仮定する。車両１０、従って移動ＤＴＶ１００は、位置ＭＬＣを有している。この位置情報、即ちデバイス位置は、前述したように図１のＧＰＳ受信機１５０を介して移動ＤＴＶ１００にも供給される。図４に示すように、移動ＤＶ１００は２つの放送エリア間に位置している。一方の放送エリアは位置ＴＬＡを有する送信機塔ＴＡ（送信機ＴＡ）によって提供され、他方の放送エリアは位置ＴＬＢを有する送信機ＴＢによって提供される。移動ＤＴＶ１００及び送信機ＴＡ間の距離は図４ではｄＡ，Ｃで表されており、移動ＤＴＶ１００及び送信機ＴＢ間の距離はｄＢ，Ｃで表されている。最初に、移動ＤＴＶ１００が塔ＴＡにより近く（ｄＡ，Ｃ＜ｄＢ，Ｃ）、図１のＤＴＶ受信機１０５がシャネル３を受信するために周波数ｆ３，Ａ（図２のテーブル１６６−１）に同調されたと仮定する。この場合、現在選択されている送信機はＴＡである。
【００１２】
図３に戻り、ステップ３０５において、移動ＤＴＶ１００はＧＰＳ受信機１５０を介して自己の位置を判断する。ステップ３１０において、移動ＤＴＶ１００（例えば、図１のＤＴＶ送信機選択素子１５５）は、図１のＤＴＶ送信機データベース１６０におけるどのＤＴＶ送信機がこの移動ＤＴＶ１００の位置に最も近いかを判断する。図４に示すように、送信機ＴＡが最も近いＤＴＶ送信機であるため、移動ＤＴＶ１００は送信機ＴＡを選択する。ステップ３１５において、移動ＤＴＶ１００は、最も近いＤＴＶ送信機が現在選択されている送信機かを判断する。現在選択されている送信機が送信機ＴＡであり、この送信機ＴＡが最も近い送信機でもあるため、移動ＤＴＶ１００はステップ３０５へ戻り以上の処理を繰り返す。しかしながら、後の時点では、以上述べた処理は、ステップ３１０において現在は送信機ＴＢの方が送信機ＴＡより近いと判断する。この状態が図５に示されており、車両１０が矢印１の方向にｄＡ，Ｃ＞ｄＢ，Ｃとして移動し続けている。従って、図３のステップ３１５において、移動ＤＴＶ１００は、最も近い送信機、ＴＢ、は現在選択されている送信機、ＴＡ、とはもはや異なると判断する。この場合、移動ＤＴＶ１００は、現在選択されている送信機として送信機ＴＢを選択し、チャネル３を継続して受信するために図１のＤＴＶ受信機１０５を周波数ｆ３，Ｂ（図２のテーブル１６６−２）に再同調する。従って、本発明によれば、ユーザがチャネル３の番組を見ている場合、移動ＤＴＶ１００は、この移動ＤＴＶ１００が異なる放送エリアを又はそれら間を移動する時に、最も近い送信機に再同調、即ちハンドオフ、を続ける。新たな送信機を見つける前に移動ＤＴＶ１００が信号の減衰することを待たないため、サービスのいかなる中断をもそれを取り除くことができない場合に減少させることができる。
【００１３】
他の変更態様が可能である。例えば、どれが最も近い送信機であるかを判断する場合に、他の送信機パラメータを考慮することが可能である。このようなパラメータの１つの例として、送信機の放送電力（放送パワー）を考慮する。複数の送信機塔が異なる放送電力を有することが可能な場合、図１のデータベース１６０に放送電力を表すデータを加えることが可能であり、最も近い送信機の判断に放送電力をも考慮することができる。例えば、図４において、送信機ＴＡが送信機ＴＢよりも高い電力で信号を放送している場合、移動ＤＴＶ１００は送信機ＴＢが最も近い送信機であると判断された際にも送信機ＴＡからの信号を有効に受信し続けることができるかもしれない。これに関連して、データベース１６０は各送信機塔の重み係数を含んでおり、この重み係数は移動ＤＴＶ１００からの送信機塔の実際の距離を実効的な距離に調整するために用いられ、図３のステップ３１０は実効的距離について最も近い送信機が最も近い送信機であるように変更される。このようなデータベースの例が図６に示されている。最も単純な形態では、実効的距離は、実際の距離に重み係数を乗算した値に等しい。さらに、最も近い送信機を選択するための異なるアルゴリズムを実施するために、デバイスの位置が用いられる。例えば、移動ＤＴＶ１００が位置Ｆにある場合には、実際の距離が最も近い送信機を判断するために使用されるが、移動ＤＴＶ１００が位置Ｈにある場合には、上述した実効的距離が最も近い送信機を判断するために使用される。また、図３のフローチャートが、連続的に、例えば各秒毎などのように周期的に、一定時間内に移動した距離（図１のＧＰＳ受信機１５０によって提供されるデバイスの位置から決めることができる）の関数として実行可能であることに注意すべきである。
【００１４】
さらに他の変更態様は以下の通りである。各送信機のサービスエリア（ｃｏｖｅｒａｇｅ  ａｒｅａ）及び／又は１つの放送塔から他の放送塔へ切り替わる切り替え地点（ｓｗｉｔｃｈｉｎｇ  ｌｏｃａｔｉｏｎ）を判断するために、各送信機塔について試行的な測定がなされる。これに関連して、データベース１６０は、各送信機のサービスエリアデータ及び／又は切り替え地点データを含むように変更される。デバイスの位置と送信機塔位置との間の距離の関数としてこのデバイスを再同調することは、サービスエリア内のデバイスの位置及び／又は切り替え地点に近いことに基づいて判断される。
【００１５】
本発明の他の特徴によれば、図３のステップ３２０は、図７に示すように変更可能である。ステップ３５０において、前述したように送信機が選択される、即ち送信機を再同調する周波数が現在選択されているチャネル用に決められる。しかしながら、ステップ３５５において、移動ＤＴＶ１００は、信号が減衰するのを待つ。信号が減衰したこと、例えばＤＴＶ受信機１５０が備えている図示しない受信信号強度表示器（ＲＳＳＩ）による受信信号強度がＲＳＳＩ閾値、例えば１８ｄＢ、未満であること、を検出すると、移動ＤＴＶ１００はステップ３６０において再同調される。
【００１６】
図８は移動ＤＴＶ１００の前面の表示例を示している。この図は単なる例示であり、実スケールによるものではなく、単に本発明の原理を組み込んだデバイスを強調するために用いていることに注意すべきである。移動ＤＴＶ１００は、ハウジング１９０内に収容された携帯デバイスである。図８から分かるように、ハウジング１９０は、ディスプレイ１１５、ユーザインタフェース１２０及びアンテナ１０４の支持体を提供している。この図では、アンテナ１０４は、前述のアンテナ１０１及び１０２を表わしている。ユーザインタフェース１２０は、少なくともナビゲーションボタン配列１２５及びボタン１３５で表す他のボタンを備えている。本発明の概念からは不要であるが、このボタン配列１２５は、具体的には、チャネルを変えボリュームを調整する等の機能をユーザに与える。これは、図８において、現在選択しているチャネルを増減するボタンを示すものとして、ラベル「Ｃｈ＋」及び「Ｃｈ−」を具体的に使用して示されており、また、現在のボリューム設定を増減するボタンを示すものとして、ラベル「Ｖ＋」及び「Ｖ−」を具体的に使用して示されている。同様に、ボタン１３５で表されているように、例えば電源ボタン等の他のボタンが存在しているが、これらは本発明の概念に関連するものではない。
【００１７】
以上述べたように、本発明によれば、デバイスは、このデバイスの位置を提供するＧＰＳ受信機と、デバイスの位置と送信機位置との間の距離の関数として、このデバイスの再同調を始めるプロセッサとを備えている。従って、このデバイスは、ユーザがいかなる信号減衰をも感知する前に再同調可能であり、いかなるサービスについてもその中断期間を低減することができる。以上、移動ＴＶについて述べたが、本発明の概念はこれに限定されるものではなく、移動、携帯又はその他のいかなるデバイスにも適用可能である。例えば、本発明は、携帯可能であるとは考えられないが、例えば自動車、電車又は飛行機等の内部に装着すれば移動可能なデバイスにも適用可能である。さらに、ＧＰＳ受信機を用いることで本発明を説明したが、本発明のデバイスは、位置情報を受信するいかなる機構をもこのデバイス内で用いても良い。例えば、このデバイスは、異なる周波数における受信した信号電力の関すとして距離を見積もることにより、送信機塔からの相対的な距離を計算することができる。
【００１８】
以上の説明は単に本発明の原理を述べたものであり、当業者によれば本明細書では詳しく説明していないが本発明の原理を本発明の精神及び範囲内で実現する種々の変更態様を想到することができる。例えば、以上では本発明の実施形態を独立した機能要素を用いて説明したが、これら機能要素は１つ又はそれ以上の集積回路（ＩＣ）で実現することができる。同様に、本発明の実施形態を独立した素子で説明したが、本発明は、蓄積プログラム制御型のプロセッサ、例えば図３に示す１つ又はそれ以上のステップに対応している蓄積ソフトウエアを実行する、例えばデジタル信号プロセッサで実現することができる。従って、種々の変更態様が前述した実施形態から想到でき、さらに他の構成も本発明の範囲は特許請求の範囲に規定されかつ本発明の精神及び範囲から逸脱することなく想到できることが理解される。
【図面の簡単な説明】
【００１９】
【図１】本発明の理念を具体化した実施形態における移動デバイスを示す図である。
【図２】図１に示した移動デバイスで用いられるデータベースの実施例部分を示す図である。
【図３】本発明の理念に従ったフローチャートの実施例を示す図である。
【図４】図３に示すフローチャートの説明に関連して用いられる図である。
【図５】図３に示すフローチャートの説明に関連して用いられる図である。
【図６】図１に示した移動デバイスで用いられるデータベースの他の実施例部分を示す図である。
【図７】本発明の理念に従ったフローチャートの他の実施例を示す図である。
【図８】本発明の理念を具体化した実施形態における移動デバイスを正面から見た図である。
【符号の説明】
【００２０】
１０  車両
１００  移動ＤＴＶ
１０１、１０２、１０４  アンテナ
１０５  ＤＴＶ受信機
１１０  ＤＴＶプロセッサ
１１５  ディスプレイ
１２０  ユーザインタフェース
１２５、１３０  ボタン
１５０  ＧＰＳ受信機
１５５  ＤＴＶ送信機選択素子
１６０  ＤＴＶ送信機データベース
【図１】
2008544642.tif 000003
【図２】
2008544642.tif 000004
【図３】
2008544642.tif 000005
【図４】
2008544642.tif 000006
【図５】
2008544642.tif 000007
【図６】
2008544642.tif 000008
【図７】
2008544642.tif 000009
【図８】
2008544642.tif 000010
【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
デバイス内で使用し、該デバイスの位置を判断するのに使用される情報を提供する受信機を備えており、受信情報に同調可能な装置において、
前記デバイスの位置と送信機に関連する位置との間の距離の関数として、前記デバイスの再同調を開始するプロセッサを備えたことを特徴とする装置。
【請求項２】
情報を提供する前記受信機が、グローバルポジショニングシステム（ＧＰＳ）受信機であることを特徴とする請求項１に記載の装置。
【請求項３】
選択されたチャネルの少なくとも１つの番組を受信するための複数の周波数の１つに同調するデジタルテレビジョン（ＤＴＶ）受信機をさらに備えており、
選択されたチャネルのための、複数の周波数の１つに前記デジタルテレビジョン受信機を同調することによって前記プロセッサは前記デバイスを再同調することを特徴とする請求項１に記載の装置。
【請求項４】
複数の送信機についての送信機情報を記憶するメモリをさらに備えており、
該メモリは、各送信機について、関連する位置と、前記プロセッサが前記デバイスを再同調する際に使用する関連する送信周波数とを少なくとも記憶していることを特徴とする請求項１に記載の装置。
【請求項５】
前記距離が、実際の距離であることを特徴とする請求項１に記載の装置。
【請求項６】
前記距離が、実効的な距離であることを特徴とする請求項１に記載の装置。
【請求項７】
送信機に関連する前記位置がサービスエリアであることを特徴とする請求項１に記載の装置。
【請求項８】
送信機に関連する前記位置が切り替え地点であることを特徴とする請求項１に記載の装置。
【請求項９】
前記プロセッサが、前記距離を周期的に判断することを特徴とする請求項１に記載の装置。
【請求項１０】
前記プロセッサが、前記デジタルテレビジョン受信機のための同調情報を決定し、その後、受信した信号が減衰することを待つことによって前記デバイスを再同調することを特徴とする請求項１に記載の装置。
【請求項１１】
デバイス内で使用し、該デバイスの位置情報を受信するステップと、選択されたチャネルの番組を受信するステップとを備えた方法において、
送信機の位置と、前記選択されたチャネルに関連する送信機の周波数とを少なくとも含む送信機情報を記憶するステップと、
メモリに記憶されている前記デバイスと送信機の位置との間の距離を監視することにより、前記番組を受信するために前記デバイスを再同調するステップとを備えたことを特徴とする方法。
【請求項１２】
前記位置情報を受信するステップが、グローバルポジショニングシステム（ＧＰＳ）から情報を受信することを特徴とする請求項１１に記載の方法。
【請求項１３】
前記距離が、実際の距離であることを特徴とする請求項１１に記載の方法。
【請求項１４】
前記距離が、実効的な距離であることを特徴とする請求項１１に記載の方法。
【請求項１５】
送信機に関連する前記位置がサービスエリアであることを特徴とする請求項１１に記載の方法。
【請求項１６】
送信機に関連する前記位置が切り替え地点であることを特徴とする請求項１１に記載の方法。
【請求項１７】
前記再同調するステップが、前記距離を周期的に判断することを特徴とする請求項１１に記載の方法。
【請求項１８】
前記再同調するステップが、前記デバイスに距離が最も近い送信機の位置を選択するステップと、前記選択されたチャネルのための関連する送信機周波数に前記デバイスを再同調するステップとを備えていることを特徴とする請求項１１に記載の方法。
【請求項１９】
前記再同調するステップが、前記デジタルテレビジョン受信機のための同調情報を決定し、前記デバイスを再同調する前に、受信した信号が減衰することを待つことを備えていることを特徴とする請求項１１に記載の方法。
【国際調査報告】
2008544642.tif 000011
2008544642.tif 000012
2008544642.tif 000013